(57)【特許請求の範囲】
【請求項１】
本表紙を機械的に製造するための、貯蔵リールから出てくる背心を裁断装置で所定長に裁断し、供給された表紙厚紙と接合ローラ装置内で正確な位置で接合する装置であって、背心を送り出して裁断装置内で位置決めする裁断長送りローラ対と、裁断された背心を搬送路を通って接合ローラ装置に送る１連のフィードローラ対とを有する装置において、前記裁断長送りローラ対（３）とフィードローラ対（４〜６）とが制御された共通サーボモータ（１２）で間欠的に駆動可能であり、背心（１）が所定の引き出し長さに達した後、裁断長送りローラ（３ａ，３ｂ）を非作動状態に置くことができること、背心（１）をはさんで保持する固定装置（１０）が裁断装置（９）に付属していること、および裁断された背心（１）を搬送路（２）の待機位置に位置決めし、また、裁断された背心（１）を間欠的に供給される表紙厚紙（１ａ）と時間的に同期して解放するための制御手段（１４、１７）が設けられていることを特徴とする装置。
【請求項２】
前記サーボモータ（１２）の駆動を、基準としての表紙厚紙（１ａ）の運動と恒常的に同期させるための制御装置（１５〜１７）を有する請求項１記載の装置。
【請求項３】
前記裁断長送りローラ対（３）が、サーボモータ（１２）によって直接駆動されるローラ（３ａ）と、摩擦係合によって一緒に駆動されるローラ（３ｂ）とによって構成されており、ローラ（３ｂ）を非作動状態に移行させるためにローラ（３ｂ）の対面ローラ（３ａ）に対する間隔が、操作手段（１１）を介して可変とされている請求項１または２記載の装置。
【発明の詳細な説明】
【０００１】
【産業上の利用分野】
本発明は、本表紙を機械的に製造するために、貯蔵リールから出てくる背心を所定長に裁断し、供給される表紙厚紙と接合ローラ装置内で正確な位置で接合する装置であって、背心を引き出して裁断装置内で位置決めする裁断長送りローラ対と、裁断された背心を搬送路を通して接合ローラ装置内に送りこむ１連のフィードローラ対とを有するものに関する。
【０００２】
【従来の技術】
本表紙の工業的製造においては、表紙ばり機が、ざら紙とも呼ばれる背心を裁断するための非連続的または連続的に作動する装置と併用される。
【０００３】
間欠運転で作動する公知の引き出し装置において、それぞれ所定の裁断長に調整できるリンク駆動システムがフリーホイールと一緒に搬送手段の制御に用いられる。その場合、裁断のための引張り力が貯蔵リールに直接作用する。その結果、リールを静止した後に再び回転させるため、いつも必ずローラの慣性モーメントを克服しなければならない。直径が変化するため種々の引張り力が生じるが、そのために滑りが生じ、したがって裁断長が不正確となる。さらに、直径の大きい貯蔵リールの場合、慣性モーメントを克服するために、幅が狭く薄いざら紙材料の場合には引き裂ける危険がある。
【０００４】
リンク駆動システムとフリーホイールによって作動する引き出し装置は、運動方向が絶えず交代するので、間欠動作数の上昇には限界がある。
【０００５】
さらに、貯蔵リールからざら紙材料を送り出すサクションホイールでざら紙を連続的に巻き戻す、表紙ばり機の引き出し装置が知られている。ざら紙材料を裁断するために、斜めに取り付けられて回転駆動される１対のクロスカッター刃を有するクロスカッター装置が設けられている。
【０００６】
回転クロスカッター刃は、その駆動をその時々の引き出し速度および引き出し長さにしたがって常に正確に同期させることが必要であるが、これは多大な設備コストによってしか実現できない。その場合でも、ざら紙の長さが不正確で、ざら紙材料を直角に裁断できない危険が基本的に残る。サクションホイールの搬送の滑りが皆無ではないために、不正確な長さが生じ得るのは言うまでもない。
【０００７】
さらに、回転裁断装置を備えた連続的に作動する引き出し装置は、装備変更に手間がかかり、訓練を受けた作業員しか行えない。
【０００８】
ドイツ特許公開公報第３６１４１６７号により、本表紙を機械的に製造するために背心を貯蔵リールから引き出し、クロスカッター装置で一定の長さに切り、表紙ばり機のクロスシリンダに送る装置が知られている。高い裁断長精度を達成するために、裁断作業は２つの搬送期間の間で行われる。そのため、裁断装置の手前に取り付けられた搬送ローラシステムを駆動する裁断長駆動装置が設けられている。裁断長駆動装置の一定に回転する範囲は、互いに回動可能に配置されたカムにより材料の裁断長に対応して調整できる。
【０００９】
裁断されたざら紙をクロスシリンダに供給するのは、周知のように搬送路内で搬送ローラシステムを用いて行われる。搬送ローラシステムは互いに離れて配置されたローラ対からなり、これらのローラ対はざら紙搬送駆動装置によって回転させられる。
【００１０】
裁断長駆動装置とざら紙搬送駆動装置は、多数の駆動部材によって互いに連結している。このように２通りの動作を機械的部材で強制的に結合することは、製造精度に基づく公差外れを伴い得るが、これは特に間欠動作が速い場合に、裁断長精度およびざら紙を表紙と接合する精度を損ねる。
【００１１】
【発明が解決しようとする課題】
本発明の目的は、高性能表紙ばり機用に、非常に安定した動作のもとで最高度の裁断長精度を達成し、背心と表紙を正確な位置で接合できる、冒頭に記載した種類の装置を提供することである。
【００１２】
【課題を解決するための手段】
上記の目的を達成するために本発明の装置は、裁断長送りローラ対とフィードローラ対とが制御された共通サーボモータで間欠的に駆動でき、背心が所定の引き出し長さに達した後裁断長送りローラを非作動状態に置くことができ、背心をはさんで保持する固定装置が裁断装置に付属しており、さらに裁断された背心を搬送路の待機位置に位置決めし、また、裁断された背心を間欠的に供給される表紙厚紙と時間的に同期して解放するための制御手段が設けられている。
【００１３】
【実施例】
以下に、本発明の実施例を、図面１〜３に示す種々の動作段階における装置の構造の図式的表現に基づいて説明する。
【００１４】
ざら紙とも呼ぶ背心１の搬送システムが、搬送路２と互いに離れて配置された１連の搬送ローラ対３〜６とによって構成される。搬送システムの課題は、いわゆるクロスシリンダ７とアッパーローラ８とからなる接合ローラ装置に背心１を供給することである。この接合ローラ装置で、背心１と供給された表紙厚紙１ａが正確な位置で接合される。
【００１５】
第１の搬送ローラ対３の後段には、裁断装置９、およびこの裁断装置９とローラ対３との間に取り付けられた、所定長に切る背心１をはさむ固定装置１０が設けられている。裁断装置９と固定装置１０は互いに連結しており、公知の空気圧駆動手段１１によって操作される。
【００１６】
本発明に従い、裁断装置９と固定装置１０との前段に配置された、図示していない貯蔵リールからの背心１を裁断するための第１の搬送ローラ対３（以下裁断長送りローラと呼ぶ）と、後続の搬送ローラ対４〜６（以下フィードローラ対と呼ぶ）は、制御された共通サーボモータ１２によりチェーン１３を介して間欠的に駆動される。そのさい、それぞれ１つのローラはチェーン１３を介してサーボモータ１２と直接駆動結合しており、対面ローラは摩擦係合によって一緒に動かされる。
【００１７】
フィードローラ対４〜６の対面ローラが恒常的に一緒に駆動されるのに対し、裁断長送りローラ対３の場合は、背心１の搬送運動に中断が生じる。これは、空気圧駆動手段１１により操作されて、引き続き直接駆動されるローラ３ａから対面ローラ３ｂが離され、それらの間隔が変化することによって行われる。背心供給を中断するためのローラ３ｂの操作は、背心１の送りと、接合ローラ装置７、８に供給される表紙厚紙１ａとに時間的に同期して、背心が所定の引き出し長さに達した後に行われる。
【００１８】
正確な位置で接合するために背心１を表紙厚紙１ａに同期させて動かすことは、制御装置によって絶えず調整することによって達成される。これは、表紙厚紙１ａの運動が伝動部材１５と増分器１６とからなる測定装置によって基準として検知され、その結果が電子駆動制御装置１７に送られてサーボモータ１２を制御することによって行われる。
【００１９】
背心を所定長に裁断し、表紙厚紙と正確な位置で接合する本発明の装置の動作手順は、次のとおりである。
【００２０】
背心１を貯蔵リールから引き出し、裁断長送りローラ対３とフィードローラ対４によって位置Ｚで裁断長さに位置決めする。背心１をはさんで固定し、裁断長送りローラ対３を開き、背心１を切断する（図１）。裁断された背心１をフィードローラ対４〜６によって待機位置Ｗに位置決めする（図２）。供給された表紙厚紙１ａの前縁を光検出器１４で検知し、背心１と表紙厚紙１ａとを、背心前縁と厚紙前縁の位置を制御して、接合ローラ装置７、８に同期搬送する。それと同時に裁断長送りローラ３ａ、３ｂを閉じ、裁断装置９と固定装置１０を開いた後、後続の背心１を位置Ｚに送る。（図３）。
【図面の簡単な説明】
【図１】背心１が位置Ｚにある、本発明の装置の実施例の構造の図式的表現である。
【図２】裁断された背心１が待機位置Ｗにある、本発明の装置の実施例の構造の図式的表現である。
【図３】先行する背心１が接合ロ−ラ装置７で接合され、後続の背心１が位置Ｚに送られる、本発明の装置の実施例の構造の図式的表現である。
【符号の説明】
１    背心
１ａ    表紙厚紙
２    搬送路
３    裁断長送りローラ対
４、５、６    フィードローラ対
９    裁断装置
１０    固定装置
１１    操作手段
１２    サーボモータ
１４、１５、１６、１７    制御手段
【図１】
0003649755.tif 000002
【図２】
0003649755.tif 000003
【図３】
0003649755.tif 000004